(57)【要約】各メッセージが最初にセグメントに分割され、セグメントが断片化される区分されたメッセージ送信のための方法。セグメントパラメタが各セグメントに、そしてセグメント識別子が各フラグメントに適用される。フラグメントは送信のためのフレームへの準備のために低いレベルに提供される。一実施例は制御メッセージなどの短い持続時間メッセージの送信に適用される。【選択図】図８
2005500761.tif 000002
【特許請求の範囲】
【請求項１】
基地局コントローラと複数の基地局とを有する無線通信システムにおいて、
メッセージを複数のセグメントに区分し、
セグメントを複数のフラグメントに分割し、
フラグメントを送信することを含む方法。
【請求項２】
複数のフラグメントの1つを再送信することをさらに含む請求項１の方法。
【請求項３】
各セグメントにセグメントパラメタを適用することをさらに含む請求項１の方法。
【請求項４】
各フラグメントにセグメントインディケータを適用することをさらに含む請求項１の方法。
【請求項５】
基地局コントローラと複数の基地局を有する無線通信システムにおいて、基地局が、
複数の送信されたフレームからメッセージのセグメントを組み立てる手段と、
メッセージの欠けているセグメントを確認する手段と、
欠けているセグメントの再送信を要求する手段とを含むシステム。
【請求項６】
基地局が、
複数のセグメントを形成するためメッセージを区分する手段と、
複数のフラグメントを形成するためセグメントを断片化する手段と、
複数のフラグメントを送信する手段と、
複数のフラグメントの1つを再送信する手段とをさらに含む請求項５のシステム。
【請求項７】
複数のセグメントを有し、各セグメントが複数のフラグメントを有する送信フレームを受信し、
複数のセグメントのいずれかが欠けているか否かを決定し、
セグメントが欠けていないならばメッセージを再構成し、
セグメントが欠けているならば欠けているセグメントの再送信を要求することを含む無線通信システムにおける送信を受信する方法。
【請求項８】
送信フレームのフラグメントを処理することをさらに含む請求項７の方法。
【請求項９】
セグメントの終端を決定し、
セグメントを再構成することをさらに含む請求項７の方法。
【請求項１０】
セグメントが欠けているならば送信フレームの送信器に否認メッセージを送ることをさらに含む請求項７の方法。
【請求項１１】
セグメントが欠けていないならば送信フレームの送信器に承認メッセージを送ることをさらに含む請求項７の方法。
【請求項１２】
セグメントの始端を決定し、
セグメントの始端から情報をバッファに記憶することをさらに含む請求項７の方法。
【請求項１３】
バッファがセグメントの始端で空でないならばバッファをフラッシュすることをさらに含む請求項１２の方法。
【請求項１４】
フラグメントがセグメントの始端でなく、バッファが空であるなら、欠けているとしてフラグメントにマークを付けることをさらに含む請求項１３の方法。
【請求項１５】
複数の送信フレームを受信する受信器と、
フラグメント抽出ユニットに結合され、送信フレーム内にセグメントを確認して再構成するように適合されたセグメント抽出ユニットと、
セグメント抽出ユニットに結合され、メッセージ内にいくつかの欠けているセグメントを決定して、欠けているセグメントの再送信を要求するように適合されたメッセージ再構成ユニットとを含む無線装置。
【請求項１６】
各セグメントがセグメントパラメタと複数のフラグメントを含む複数のセグメントにより特徴付けられた、搬送波に具体化されたコンピュータデータ信号。
【請求項１７】
各フラグメントがセグメント識別子と情報部分とを含む請求項１６のコンピュータデータ信号。
【請求項１８】
セグメント識別子は区分がコンピュータデータ信号の送信のために活動的であるかどうかを示す請求項１７のコンピュータデータ信号。
【請求項１９】
セグメント誤り率が、
SER=1-(1-FER)ｘ
で与えられ、ここに、FERはコンピュータデータ信号のフレーム誤り率、ｘは複数のフラグメントにおけるフラグメントの数である、請求項１６のコンピュータデータ信号。
【請求項２０】
メッセージ誤り率が、
MER=１-(1-SER)ｋ
で与えられ、ここに、kは複数のセグメントにおけるセグメントの数である、請求項１９のコンピュータデータ信号。
【発明の詳細な説明】
【技術分野】
【０００１】
本発明は通信システムに関する。特に本発明は無線通信システムにおけるメッセージを区分して送信する方法に関連する。
【背景技術】
【０００２】
無線通信システムにおいては、メッセージは送信器から移動受信器へ送信される。メッセージはフレームで送信され、ここにフレームは時間の予定された期間を定義し、プロトコルは情報の交換などの操作の与えられた組を実行するのに用いられる手順の組であり、ここにプロトコルはフレームで送信される構成の情報を定義する。無線通信が共有されたエアーインタフェースを通して行われるとき、受信品質は制限された干渉である。受信器での乏しい品質の受信はデータの送信されたフレームの損失をもたらし、即ち、受信された信号は干渉信号の付加により認識可能でないかもしれない。フレームが失われるとき、通常、全体のメッセージ(多重フレーム)は再送信される。全体のメッセージの再送信は追加メッセージのために使用される別な方法で帯域幅を使用する。さらに、再送信はシステムの遅れ時間に加えて、無線通信システムの容認できないパーフォーマンスをもたらすかもしれない。
【発明の開示】
【発明が解決しようとする課題】
【０００３】
したがって、無線通信システムにおいてメッセージを送信する正確な方法の必要がある。さらに、無線通信システムにおいて情報を再送信する効率的な方法の必要がある。
【課題を解決するための手段】
【０００４】
ここに開示される実施例は、セグメントパラメタが各セグメントに添付されて、各セグメントが複数のフラグメントに断片化される、送信メッセージの区分のための方法および装置を提供することによって上記必要性を処理する。各フラグメントはセグメント識別子を含んでいる。一実施例では、セグメント中のフラグメントに関するセグメント識別子はセグメントの始端とセグメントの終端を確認する。
【０００５】
一態様によると、基地局コントローラと複数の基地局を有する無線通信システムにおいて、方法はメッセージを複数のセグメントに区分し、セグメントを複数のフラグメントに分割して、フラグメントを送信することを含んでいる。
別の態様によると、基地局コントローラと複数の基地局を有する無線通信システムにおいて、基地局は複数の送信されたフレームからメッセージのセグメントを組み立てる手段と、メッセージの欠けているセグメントを確認する手段と、欠けているセグメントの再送信を要求する手段とを含んでいる。
【０００６】
一態様では、無線装置は複数の送信フレームを受信する受信器と、フラグメント抽出ユニットに結合され、送信フレーム内にセグメントを確認して、再構成するように適合されたセグメント抽出ユニットと、セグメント抽出ユニットと結合され、メッセージ中のいずれかの欠けているセグメントを決定して、欠けているセグメントの再送信を要求するように適合されたメッセージ再構成ユニットを含んでいる。
【０００７】
また別の態様において、搬送波で具体化されたコンピュータデータ信号は、各セグメントがセグメントパラメタを有する複数のセグメント、および複数のフラグメントによって特徴付けられる。
【発明を実施するための最良の形態】
【０００８】
例示（exemplary）の語は、ここでは例（example、instance）、例証（illustration）として役立つ意味に排他的に使用される。例示としてここに記述されるどんな実施例も他の実施例を越えて好ましいまたは有利であるとして理解される必要はない。本発明の様々な態様が図面に提示されるが、図面は特別に示されない限り、必ず比例するように作成されるというわけではない。
【０００９】
符号分割多重接続、CDMA通信システムなどのスペクトル拡散システムにおいて、信号は疑似乱数雑音、PN拡散系列のような符号の使用を経て広い帯域幅にわたって拡散される。ここに“IS-95規格”として参照される“TIA/EIA/IS-95 Mobile Station-Base Station Compatibility Standard for Dual-Mode Wideband Spread Spectrum Cellular System”、ここに“cdma2000規格”として参照される“TIA/EIA/IS2000 Standards for cdma2000 Spread Spectrum Systems”はスペクトル拡散CDMAシステムを詳細に示す。
【００１０】
無線通信システムは音声、データなどの通信の様々なタイプを提供するために広く配備されている。これらのシステムは符号分割多重接続(CDMA)、時間分割多重接続(TDMA)、またはいくつかの他の変調技術に基づくかもしれない。CDMAシステムは増加するシステム容量を含む他のタイプのシステムよりある利点を提供する。
【００１１】
システムは、(1)ここにIS-95規格として参照される“TIA/EIA/IS-95 Mobile Station-Base Station Compatibility Standard for Dual-Mode Wideband Spread Spectrum Cellular System”、(2)ここに3GPPとして参照される“3rd Generation Partnership Project”と命名された協会により提案され、ここにW-CDMA規格として参照される文書番号3G TS 25.211、3G TS 25.212、3G TS 25.213、および3G TS 25.214、3G TS 25.302を含む一組の文書により具体化された規格、(3) ここに3GPP2として参照される“3rd Generation Partnership Project2”と命名された協会により提案され、正式にIS-2000 MCと呼ばれるcdma2000規格としてここに参照されるTR-45.5の規格、または(4)いくつかの他の無線の規格のような1つ以上の規格をサポートするように設計されるかもしれない。上記引用された規格(1)、(2)、および(3)は引用文献としてここに明白に組み込まれる。
各規格は基地局から移動局、またはその逆の送信に関するデータの処理を特に定義する。例えば、スピーチ情報は特定のデータレートでコード化されて、定義されたフレーム形式にフォーマットされて、特定の処理計画に従って処理(例えば、エラー修正および/またはコード化され、インターリーブされるなどの検出)されるかもしれない。この例証として、W-CDMA規格はアダプティブマルチレート、即ちAMRスピーチコード化計画を定義し、それによりスピーチ情報が複数の可能なデータレートの1つに基づいてコード化され、コード化されたスピーチデータが選択されたデータレートに依存する特定の形式で提供されるかもしれない。コーデック、フレーム形式、および特定の規格(例えば、cdma2000規格)によって定義される処理は、他の規格(例えば、W-CDMA規格)のものと異なる傾向がある。
【００１２】
多重輸送形式、即ち、可変長送信フレームをサポートすることができるいくつかの通信システムがある。そのようなシステムの１つはcdma2000規格によって定義される。CDMAタイプシステムは以下の議論をとおして手本として使用されるが、現在の方法と装置はフレームでメッセージを送信する任意のシステムに適用可能であり、フレームおよび/またはフレームの一部の再送信をサポートする。さらに、ここに説明される方法は、ダウンリンクおよびアップリンクと同様に、順方向リンクおよび逆方向リンクに適用されるかもしれない。便利のために、記述はここにCDMAタイプシステムと一致した用語を使用する。W-CDMAタイプシステムへのアプリケーションについて、アップリンク通信はユーザ装置UEからノードB、即ち送信器への通信を指す。
【００１３】
通常のCDMAタイプのスペクトル拡散システムを説明するのに使用される用語のいくつかがW-CDMAタイプシステムに関して一貫して使用されるが、それぞれのタイプのシステムに特定の定義を有するいくつかの用語がある。
CDMAシステムでは、移動ユーザは移動局と呼ばれる。多重MSは無線通信システムにおいて固定位置を有する基地局を通して通信する。逆方向リンクRLは、CDMAシステムにおいて、移動ユーザ、即ち移動局MSから基地局BSへの送信を言う。順方向リンクFLはBSからMSへの送信を言う。
【００１４】
W-CDMAシステムにとって特定の用語は移動ユーザをユーザ装置UEと言う。多重UEは無線通信システムにおいて固定位置を有する“ノードB”を通して通信する。UEからノードBへの送信はアップリンクULと呼ばれる。ダウンリンクDLはノードBからUEへの送信を言う。
【００１５】
図1は多数のユーザをサポートするスペクトラム拡散通信システム100のダイヤグラムである。システム100は複数のセルに関する通信を提供し、各セルは対応する基地局104によってサービスされている。様々な遠隔端末106がシステムを通して分散される。システム100はCDMAの無線通信システムを表すかもしれず、そこでは、それぞれ遠隔端末106がMSと呼ばれる。同様に、システム100はW-CDMAの無線通信システムを表すかもしれず、そこでは、それぞれ遠隔端末106がUEと呼ばれる。遠隔端末が活動的であるかどうか、およびそれがソフトハンドオフにあるかどうかによって、各遠隔端末106はどんな特定の瞬間でも順方向および逆方向リンクの１つ以上の基地局104と通信するかもしれない。理解の明快のために、例示的実施例が考えられ、システム100はcdma2000規格と一致したCDMAタイプシステムである。
【００１６】
図1に示されるように、基地局104Aは遠隔端末106A、106B、106Cおよび106Dと通信し、基地局104Bは遠隔端末106D、106Eおよび106Fと通信する。
システムコントローラ102が基地局104と結合し、通常さらに、限定されないが、公衆交換電話網PSTN、インターネットまたは他の通信ネットワークを含む他のシステムと結合する。システムコントローラ102はそれと結合された基地局に整合と制御を提供する。システムコントローラ102はさらに基地局104を経て、遠隔端末106間、および遠隔端末106と他のシステムと結合されたユーザとの間の電話呼のルート設定を制御する。システムコントローラ102はまた、基地局コントローラBSCと呼ばれる。
【００１７】
図2は本発明の例示的実施例の構造的レイヤ110を示す。物理層112は順方向および逆方向リンクのチャンネル構造、周波数、パワー出力、変調タイプ、およびコード化仕様を示す。メディアアクセス制御MAC層114は物理層112の上で受信および送信するために使用される手順を定義する。
【００１８】
図2で示された階層構造は音声、パケットデータおよび同時に音声とパケットデータのサービスを提供するように設計される。物理層112は物理的なチャンネルのためのコード化、インターリービング、変調、および拡散の機能を実行する。MAC層114とリンクアクセス制御LAC層116は一緒にデータ輸送サービスのためのプロトコルサポートと制御メカニズムを提供するためにリンク層を形成する。リンク層はさらにより高い層のデータ輸送の必要を物理層112の特定の能力および特徴にマップする。また、リンク層は論理的かつシグナリングチャンネルを物理層112のコード化および変調機能により特にサポートされたコードチャンネルにマップする。ここに使用されるように、信号を送ることは制御情報の送信と言うが、通信システムにおけるメッセージとして送信されるデータ情報または他の情報を含むように広げられるかもしれない。
【００１９】
制御アプリケーションと高い層のプロトコルはLAC層116で提供されるサービスを利用する。LAC層116はメッセージの配送を含む論理的なリンク接続を設定し、維持し、解除する不可欠の機能を実行する。MAC層114は物理層112で供給されるリソースを管理する制御機能を提供する。例えば、MAC層114はエアーインタフェース上で情報の通信のために物理的なコードチャンネルを制御する。MAC層114はさらに様々なLACサービス実体によって望まれるそれらのリソースの用法を整合する。そのような整合機能は、競合している移動局間と同様に、単一の移動局内のLACサービス実体間の論争点を解決する。MAC層114はLACサービスから要求するサービスの品質QoSレベルを引渡す。例えば、MACはエアーインタフェースリソースを予約するか、または競合LACサービス実体間で優先権を解決する。
【００２０】
HDRシステムに関しては、MAC層114はユーザまたは接続のバランスをとるために能力の計画を立てることを含んでいる。そのようなバランスをとることは乏しい適用範囲を有するチャンネルのために通常低スループットの計画を立て、その結果、良い接続を有するチャンネルの高いスループットを許容するリソースを解放する。次の層、リンクアクセス制御LAC層116はより高い層のアプリケーションのためのアクセス手順を提供する。代わりの構成において、ラジオリンク、即ちラジオリンクプロトコルRLP層(示されない)は、LAC層116と代わって、あるいは並行して、８ビット配列データ流の再送信および重複検出を提供するかもしれない。パケットサービスの文脈では、LAC層116はポイント対ポイントプロトコルPPPパケットを搬送する。ハイレベルデータリンク制御HDLC層120はPPPとML-PPP通信のためのリンク層である。制御情報は特定のパターンに置かれ、パターンは誤りを減少するためデータと非常に異なっている。HDLC層120はPPP処理の前にデータのフレーム作りを実行する。PPP層122は圧縮、認証、暗号、および多プロトコルサポートを提供する。インターネットプロトコルIP層124は、異なるノードのためにインターネットワークアドレス指定の通路を保持し、出て行くメッセージを発送し、入って来るメッセージを認識する。
【００２１】
IP層124などのPPPの頂部を実行するプロトコルはユーザトラヒックを運ぶ。これらの層の各々が1つ以上のプロトコルを含むかもしれないことに注意する必要がある。プロトコルは、エアーインタフェースの他側のピアー実体に情報を運ぶためシグナリングメッセージおよび/またはヘッダーを使用する。例えば、ハイデータレートHDRシステムでは、プロトコルはデフォルトシグナリングアプリケーションでメッセージを送る。
【００２２】
アーキテクチャー110はインターネットなどのIPネットワークと、無線のモバイルユニットを含むアクセス端末との間にデータの接続性を提供するためアクセスネットワークANに適用可能である。アクセス端末ATはユーザにデータの接続性を提供する。ATはラップトップパーソナルコンピュータなどのコンピューティング装置に接続されるかもしれず、またはパーソナルデジタルアシスタントなどの自己充足的なデータ装置であるかもしれない。しばしばIP器具またはウェブ器具と呼ばれるさまざまな無線アプリケーションと絶えず増加する数の装置がある。図2で示されたように、LAC層116の上の層はサービスネットワーク層であり、HDLC層120の下の層はラジオネットワーク層である。言い換えれば、ラジオネットワーク層はエアーインターフェースプロトコルに影響を与える。例示的実施例のラジオネットワーク層は、“HAI仕様”と呼ばれる“TL80-54421-1 HDR Air Interface Specification” を実行する。HAI仕様は時々“1xEVDO”と呼ばれる。HDRは一般に無線通信システムにおけるデータ送信の効率的な方法を提供する。代わりの実施例は、“cdma2000規格”と呼ばれる“TIA/EIA/IS-2000 Standards for cdma2000 Spread Spectrum Systems”、ここに“IS-95規格”と呼ばれる“TIA/EIA/IS-95 Mobile Station-Base Station Compatibility Standard for Dual-Mode Wideband Spread Spectrum Cellular System”、または“W-CDMA”と呼ばれる“ANSI J-STD-01 Draft Standard for W-CDMA(Wideband Code Division Multiple Access)Air Interface Compatibility Standard for 1.85〜1.99GHz PCSApplications”のような他のユーザ毎の接続システムを実施するかもしれない。
【００２３】
音声とデータ伝送のための多重アクセスシステムの使用は以下の米国特許に開示される：“SPREAD SPECTRUM MULTIPLE ACCESS COMMUNICATION SYSTEM USING SATELLITE OR TERRESTRIAL REPEATERS”と題する米国特許第4,901,307、“SYSTEM AND METHOD FOR GENERATING WAVEFORMS IN A CDMA CELLULAR TELEPHONE SYSTEM”と題する米国特許第5,103，459、“METHOD AND APPARATUS FOR FORMATTING OF DATA FOR TRANSMISSION”と題する米国特許第5,504,773。これらはそれぞれその譲受人に譲渡され、ここに引用文献として組み込まれる。周波数スペクトルが有限リソースであるので、これらのシステムは最少量の干渉で多数のユーザをサポートしている間スペクトルを共有することによってこのリソースの使用を最大にするための方法を提供する。データの高速送信へのこれらの方法の拡大は既存のハードウェアとソフトウェアの再利用を可能にする。そのような規格と方法に既に詳しい設計者は、これらのシステムを高速データ伝送に広げるために知識と経験を使用するかもしれない。
【００２４】
上述したように、送信のためにメッセージを準備することにおいて、通常送信器は多重フレーム上でメッセージを拡散する。与えられた通信リンクと関連するフレーム誤り率FERは失っている与えられたフレームの確率として定義される。同様に与えられた通信リンクと関連するメッセージ誤り率MERは、失っている与えられたメッセージの確率として定義される。
【００２５】
MERはFERに関連し、式(1)で与えられる。
MER=1-(1-FER)ｎ                        （１）
ここに、メッセージがnフレームに拡散される。式(1)は特に出来事からの統計的な独立を仮定する;任意の与えられたフレームの誤りの確率は任意の他のフレームの誤りの確率と等しい。固定されたFER値について、MERはメッセージの長さの増加に従って増加する。１つのフレームが失われるならば、全体のメッセージが失われる。フレームが無線通信システムの基本的なタイミング間隔であることに注意する必要がある。異なった送信チャンネルのためのフレームを定義する時間の長さは異なっているかもしれない。
【００２６】
メッセージを失うリスク、即ちMERはメッセージの長さに従って増加する。メッセージの長さが増加するとき、メッセージの送信に必要であるフレームの数は増加する。１つのフレームの損失が全体のメッセージの損失をもたらすので、メッセージを失うリスクはメッセージあたりのフレームの数によって影響される。さらに、一定の長さのメッセージに関して、FERの増加は直接式(1)で与えられているMERに影響を与える。
【００２７】
図3Aおよび3BはLAC層114で実施される送信プロトコルを示し、各メッセージ200がヘッダー202; 多重フィールド204〜206; 情報208;およびテール210を含んでいる多重フィールドを含む。ヘッダー202は限定されるわけではないが、メッセージの長さ、メッセージ識別子、プロトコルバージョン弁別器などを含むメッセージの送信および受信のための制御情報を含む。フィールド204乃至206は、アドレス指定フィールド限定されるわけではないが、暗号フィールド、認証フィールドおよびメッセージ再送信を提供するために使用されるフィールド(ARQ)を含んでいるいくつかの数のフィールドを含む。一実施例において、情報フィールド208は送信器から受信器への制御メッセージなどのシグナリング情報を提供する。テールフレーム210はメッセージの正当性を確実にするために符号冗長性検査、即ちCRCを含むメッセージの終了情報を含んでいる。
【００２８】
メッセージ200は1、2、…、Xとしてラベルされる複数のフラグメントで送信される。各フラグメント220はメッセージの開始SOM、インディケータ222、および情報部分224を含んでいる。一実施例では、SOMはメッセージの最初のフラグメントを示すため１であり、メッセージの連続したフラグメントを示すために０である。メッセージ200のMERは式(1)で与えられている。そして、フラグメントは送信のためにフレームにフラグメントを配列したMAC層114に提供される。MAC層114は情報をフラグメントに加え、送信のためのフラグメントを再順序付けするかもしれない。各フラグメント220は送信フレームに対応するかもしれない。受信器でメッセージを受け取ったとき、どれかフラグメントが失われているならば、全体のメッセージは再送信される。失われたフラグメントは通常消去と呼ばれ、受信器は信号エネルギーを受信するが、情報を処理および/または解読することができない。メッセージの一部分が失われているなら、受信器が失われた部分無しでメッセージを処理することができないので全体のメッセージが失われたと考えられるかもしれない。失われた部分は消去または欠けている部分と呼ばれるかもしれない。
【００２９】
１つのシステムにおいて、受信器がメッセージを受信し、メッセージを解読して、処理することができるとき、受信器は承認ACKメッセージの送信によってメッセージの受け取りを認める。メッセージが失われているならば、受信器は送信器に応答しない。送信器は目標受け手からのACKメッセージの受信を待つ。ACKメッセージが予定された待ち時間の期間以内に送信器に受け取られないならば、送信器はメッセージを再送信する。送信器はメッセージの失われた部分に関して情報がほとんどない。
メッセージの失われた部分のみ、即ちフラグメントのメッセージの再送信と待ち時間の満了は受信器へ遅れ時間を招き、送信器の送信帯域幅を消費する。失われた部分またはフラグメントの再送信を提供するために、本発明の例示的実施例は図4Aおよび4Bで示すメッセージ区分の方法を提供し、それはメッセージ200を多重セグメント302に分離する。各セグメント302は唯一の識別子を割り当てられる。メッセージの最初のセグメントは開始セグメントSSインディケータによってさらに確認される。最後のセグメントは終端セグメントESインディケータによって確認される。区分過程は与えられたメッセージを多重部分に区分すると定義される。多重セグメント302は異なった長さを有するかもしれない。各セグメント302の長さの決定はチャンネル品質見積り、または与えられた通信システムに特定の評価基準に基づいているかもしれない。セグメントの長さの決定は効率と性能のバランスをとっている。より短いセグメントの長さは同じメッセージのためにセグメントより多くの総数を要する。より短いセグメント長さは信頼性増加と高められた性能を提供する。セグメントの多い総数は、例えば、多重セグメントを確認するためにより多いセグメントパラメタビットの送信の生成のように効率を減少させる処理と記憶オーバーヘッドを招く。理想的に、システムは低いオーバーヘッドを維持して性能を最適化するであろう。
【００３０】
図4Aに示されるように、メッセージ200はKセグメントに区分される。各KセグメントはさらにXフラグメントに分割される。例示的実施例によると、フラグメントXの数はセグメント302でそれぞれについて可変である。代わりに実施例は与えられたメッセージ内のセグメントあたりのフラグメントを一定の数Xに指定するかもしれない。フラグメントの数Xと同様に各フラグメント304の長さの決定は、物理層112とMAC層114のパラメタにより決定される。図4Aに示す様に、セグメント302のセグメント３はXフラグメント304に分割される。フラグメント304は次に多重送信フレーム(示されない)を通して送信のためにMAC層114に供給される。
上述したように、各Kセグメント302はXフラグメントに区分され、ここにフラグメントnの総数が与えられると：
n=K*X                                  (2)
例示的実施例では、フラグメントの総数は物理層112における送信のためにMAC層114により発生されるフレームの総数と等しいが、代わりの実施例はフレームの総数の関数としてフラグメントの総数を提供してもよい。結果としてのメッセージ誤りはセグメント誤り率SERの関数として定義され：
MER=1-(1-SER)ｋ                          (3)
ここに、SERは以下として定義される：
SER=1-(1-FER)ｘ                          (4)
図4Bに示すように、各フラグメント306はセグメント識別子SI308、および情報310を含んでいる。情報310はセグメント304からのセグメントの内容の部分である。例示的実施例に従うと、SIは少なくともSI１とSI２とを含む。ビットの1つは区分が可能にされるかどうかを示し、2ビットのもう片方がメッセージの最初のセグメントを確認する。
【００３１】
図5Aで示されるメッセージ送信の一実施例では、メッセージ200がMSG１からMSGｘにラベル付けされたフラグメント304として確認されるXフラグメントに分割される。示されるように、フラグメント304間の境界がメッセージ200のフィールド間の境界と同じである必要はないが、いくつかのセグメントの境界はいくつかのフィールドの境界と一致するかもしれない。フラグメント304はメッセージ200に含まれている情報の部分であり、メッセージ200に含まれる任意の他のフィールドと同様に、各フィールド202、204、206、208、および210に含まれる情報を含む。
【００３２】
それぞれのXフラグメント(フラグメント304の)はセグメントメッセージあたりXフレームの総数についてフレーム360の送信フレームに対応している。各フレームはサービスデータユニットSDUを含むと呼ばれる。各フラグメント304はセグメント識別子SI、メッセージ200の部分に接頭語として追加される値を含んでいる。フラグメント識別子は連続して決定される。代わりの実施例はフレームとセグメントに識別子を割当てる他の方法を実施するかもしれない。識別は受信器でメッセージを再構成するために使用される。同様に、代わりの実施例はセグメント情報の終端にSIを追加するか、またはSI情報をセグメント情報と統合するかもしれない。これらの各実施例において、フレームの構成が受信器で知られているとき、従って、受信器はメッセージを再構成することができる。
【００３３】
図5Aで示すように、Xフラグメント304はフラグメント320、330、340、および350を含んでおり、ここに各フラグメント320、330、340、および350はメッセージ200とSIの部分を含む。図5Aの実施例では、システムは図4Aのプロトコルによって定義されるメッセージ区分をサポートするが、例えば送信メッセージ区分は不活発である。活動的な区分について、セグメント再送信要求がサポートされる。言い換えれば、受信器は送信されたメッセージのセグメントか部分の再送信を要求するかもしれない。不活発な区分について、セグメント再送信要求はサポートされない。受信器はその小さいユニットではなく、全体のメッセージの再送信を要求するかもしれない。
【００３４】
図5Aの実施例では、各SIは3ビットを含んでいる。SIビットの意味は図5Bと5Cで示される。図5Bで示すように、SI１とラベル付けされるSIの最初のビットは区分が活動的であるか、または不活発であることを示し、高い論理値は区分が活動的であり、さもなくば不活発であることを示す。SI２とラベル付けされたSIの最初のビットはセグメントの開始を確認し、高い論理値はセグメントの始端を示す。SI３とラベル付けされたSIの3番目のビットはセグメント終わりを示し、高い論理値はセグメントの終端を示す。様々なビット組み合わせの意味は図5Cの表に提供される。代わりの実施例は、各々予定された意味を持っている任意の数のビットを使用するかもしれない。さらに、代わりの実施例はSIビットの代わりの極性計画を実行するかもしれない。
【００３５】
図5Aに続いて、最初のフラグメント320(フラグメント304の)はセグメント識別子部分SI322を含み、メッセージ部分MSG１324に追加される。フレーム320はメッセージ200の送信の最初のフラグメントであり、したがってSI322は010として指定され、ここにSI１=0、SI２=1、およびSI３=0である。区分がこの例について不活発であるので、2番目のビットSI２はメッセージの始端を確認するのに使用され、3番目のビットSI３はメッセージの終端を確認するのに使用されるかもしれない。次のフラグメント330はSI部分332と情報部分334を含んでいる。SI332は中央送信フラグメントを示す。最後のフラグメント350はSI部分352と情報部分354を含んでいる。SI352はセグメント、またはメッセージの終端を示す。
【００３６】
各フラグメント304はMAC層114で発生するSDU 360に対応している。特に、示された様に、フラグメント320はSDU 362に対応し、フラグメント330はSDU 364に対応し、フラグメント340はSDU 366に対応し、フラグメント350はSDU 368に対応している。SDU 360は物理層112上で送られた送信フレームに対応している。図5Aに続いて、SI322はこの送信について不活発な区分を示す。区分は不活発であるが、メッセージ200はSDU 360をもたらすフラグメント304を形成するために分割される。SDU 360は変調されかつ送信される。一実施例では、誤り検査メカニズムがまたSDU 360に適用される。フレームが受信器で受信されるとき、誤り検査がフレーム誤りを見出すために評価される。フレーム誤りの検出において、区分が不活発であるので、受信器は再送信のために特定のセグメントを要求することができない。代わりに、受信器は全体のメッセージ200の再送信を要求するだろう。特に図8および9に関して議論される以下に記述されるように、区分が活動的であるときに、受信器はフレーム誤りが検出されたセグメントを要求するために十分な情報を提供される。このように、帯域幅は保存され、そして処理時間は減少する。
【００３７】
図5Dと5Eは代わりの実施例を示し、ここにSIが2ビットを含む。最初のビットSI１は区分が活動的であるか否かを示す。2番目のビットSI２はセグメントの始端を確認する。2ビットの組み合わせの意味は図5Eの表に提供される。
図6は一実施例による無線通信システムの送信器で適用されるメッセージ区分の方法400を示す。送信器はステップ402で送信に関するメッセージを受信する。メッセージは目標受信器に対する送信の制御メッセージまたは他の短い持続時間のメッセージであるかもしれない。区分が決定ダイヤモンド404で活動的であるならば、処理はメッセージをKセグメントに区分するためにステップ412へ続く。送信器は各セグメントへ加えるため適切なセグメントパラメタSPを決定して、ステップ414でSPを発生させる。ステップ414で形成された構造は、ステップ416でXフラグメントを形成するために分割される。送信器は適切なSIを決定して各フラグメントに適用する。SIはステップ418で各フラグメントに追加される。Siを含んでいる各フラグメントは処理のためにステップ420でMAC層に渡される。そして、処理は次のメッセージを処理するためにステップ402に戻る。
【００３８】
決定ダイヤモンド404に戻って、メッセージ区分が不活発であるならば、処理はメッセージをX部分に分割するためステップ406に続ける。SIはフラグメントを形成するためにステップ408で各メッセージ部分に追加される。フラグメントはステップ410でMAC層に渡される。処理はステップ402に戻って次のメッセージを処理する。
【００３９】
受信器では、SIビットは受信されたフラグメントから抽出され、送信されたメッセージの処理を決定する。図7Aおよび7Bは受信器で送信された区分されたメッセージを処理する方法420を示す。受信器はステップ422に送信されたフレームを受信する。受信器は、区分がフレームに含まれているSIビットを評価することによって活動的であるかどうかを決定する。区分が活動的であるならば、処理はステップ442に続き、フレームに含まれるフラグメントを処理する。フラグメントの処理は図7Bでさらに詳細に示される。そして、処理は、フレームが決定ダイヤモンド444でセグメントの始端であるかどうかをSIビットから決定する。フレームがセグメントの始端であるならば、受信器はステップ446でメモリ記憶バッファにフラグメントの情報部分を記憶する。次に処理は次のフレームを受信するためにステップ422へ戻る。
決定ダイヤモンド444に戻って、受信されたフレームがセグメントの始端でないならば、受信器はフレームが決定ダイヤモンド448でSIビットに基づくセグメントの終端であるかどうかを決定する。受信されたフレームがセグメントの終端でないならば、受信器はフラグメントからの情報をバッファ内に記憶し、処理はステップ422に戻る。フレームがセグメントの終端であるならば、受信器はセグメントを再構成して、ステップ450でセグメントを順番に置く。このセグメントが決定ダイヤモンド452でメッセージを完成するならば、受信器は欠けているセグメントがないかどうか決定ダイヤモンド454でチェックする。欠けているセグメントがないならば、処理はステップ432に続き、メッセージを再構成する。決定ダイヤモンド454で欠けているセグメントが決定されたならば、受信器はステップ454で否認NACKメッセージを送り、処理はステップ422へ戻る。セグメントが決定ダイヤモンド452でメッセージの終端でないならば、処理はステップ422へ戻る。
【００４０】
区分が決定ダイヤモンド424で活動的でないならば、処理はフラグメントを処理するためステップ426に続く。フラグメントの処理は図7Bでさらに詳細に示される。そして、受信器はステップ428でフラグメントに含まれる情報をメモリ記憶バッファの中に記憶する。受信器は、決定ダイヤモンド430でフレームがメッセージの終端を示すかどうかを決定する。受信器がメッセージ終端を検出しないならば、処理はステップ422に戻って、次のフレームを処理する。受信器がメッセージ終端を検出するならば、メッセージはステップ432で再構成される。次に、決定ダイヤモンド434で受信器はメッセージの誤りをチェックする。誤りを検出すると、受信器はステップ436でメッセージを捨て、処理はステップ422に戻る。メッセージに誤りが検出されないならば、受信器はステップ438でメッセージを対応するアプリケーションまたはサービスに引渡す。受信器はステップ440でACKメッセージを送り、処理はステップ433に戻る。
【００４１】
フレームに含まれるとき、フラグメントの処理の部分は図7Bでさらに詳細に示される。方法460はメッセージ区分をサポートしている無線通信システムにおいてフラグメントの処理を示す。フラグメントがセグメントの始端であるならば、受信器は、記憶バッファがステップ470で空であるかどうかを決定する。バッファが空でないならば、方法460はバッファをフラッシュして、ステップ474でバッファに受信されたフレームから情報を記憶する。バッファが空であるならば、処理はステップ474で情報をバッファに記憶する。フラグメントがセグメントの始端でないならば、受信器は決定ダイヤモンド464でバッファの状態をチェックする。バッファが空であるならば、受信器はステップ468で受信されたフレームを捨てる。例えば、セグメントのフラグメントの始端が失われると、受信器はセグメントの残りを処理しないだろう。バッファが空でないならば、フレームからの情報はステップ466でバッファに記憶される。
【００４２】
図8で示されるメッセージ送信の一実施例では、メッセージ200は図6の方法400と一致した状態で区分される。メッセージ区分は図8で示されるメッセージ200の処理で活動的である。メッセージ200はセグメント302に区分される。セグメント302の各々はメッセージ200の部分を含んでいる。セグメント302の各々は連続した識別子を有する。各セグメント350、352、354、…、356にセグメントパラメタSPが加えられる。セグメントとSPの組み合わせは、フラグメントを形成するためにさらに分割される。そして、フラグメントはSIを含むように変更され、本実施例では、図5Bと5Cで特定されたようにSIは3ビットを含みかつ意味を有する。そして、各フラグメントはSDUを発生するために使用される。
【００４３】
メッセージ区分は、メッセージの部分の再送信に、時間の遅れおよび全体のメッセージの完全な再送信によって必要とされるリソース配分を避けることを許容する。区分のないメッセージ送信の方法と区分を有するメッセージ送信の方法との比較は図9Aおよび9Bに提供される。
【００４４】
図9Aはメッセージ再送信が要求されて、完成する区分のないメッセージ送信を示す。Txとして示される送信器は時間t1からメッセージを送信する。Rxとして示される受信器は時間t2でメッセージを受信し始め、メッセージは時間t3で完成する。そして、送信器は受信器からのACKメッセージを待つ。受信器は受信されたメッセージを処理することができず、したがって、どんなACKも送られない。時間t4で送信器はメッセージを再送信する。受信器は時間t5で再送信されたメッセージを受信する。全体のメッセージは時間t6で受信され、時間t6でACKメッセージを送る。送信器は時間t8からt9でACKメッセージを受信する。時間t9でメッセージ送信と再送信は完了する。
【００４５】
図9Aとの比較において、図9Bはセグメント再送信が要求されて、完成される区分を有するメッセージ送信を示す。送信器は時間t1からメッセージを送信し、受信器は時間t2からt3までにメッセージを受信する。NAKメッセージが時間t3からt4まで送信され、NAKは送信されたメッセージの欠けているセグメントを確認する。送信器が時間t11でNAKを受信し、時間t12でSGMとして示されるセグメントを再送信する。時間t14で受信器は再送信されたセグメントを受信し、時間t15でACKを送る。送信器は時間t17からt18までACKを受信する。メッセージのセグメントまたは一部の再送信は全体のメッセージ送信の待ち時間を減少させて、他の送信に関する送信器リソースを解放する。示すように、区分されたメッセージ送信は総処理時間の減少を提供する。
【００４６】
送信器500は区分されたメッセージ送信をサポートしている図10で示される。制御プロセッサ502は通信バスと結合される。制御プロセッサ502はメッセージ発生器504の動作を制御する。メッセージ発生器504は区分ユニット506への伝送のため、メッセージまたは他の短い持続時間のメッセージの制御および/または信号を送ることを提供する。区分が活動的であるときに、区分ユニットはメッセージを区分し、各セグメントにセグメントパラメタを加える。区分ユニット506はさらにSPとセグメントの組み合わせの各々をフラグメントに分割する。区分ユニット506は各セグメントに適用可能なセグメント識別子SIを決定する。そして、フラグメントは適当なSIを含むように変更される。区分ユニット506は送信フレームが準備されるフレーム化ユニット508に多重変更されたフラグメントを提供する。誤りチェック発生器510は誤り照合メカニズムを送信フレームに適用する。送信器500はさらに変調ユニット512とアンテナ516と結合される送信ユニット514を含む。送信器500はさらに送信に備えてメッセージまたはメッセージの一部を記憶するバッファ518を含む。
受信器600は区分されたメッセージ送信をサポートしている図11に示される。受信器600は通信バスと結合される制御プロセッサ602を含む。フレームはアンテナ616で受信され受信ユニット614で処理される。復調ユニット612は受信されたフレームを復調し、誤りチェックユニット610が伝送エラーをチェックする。デフレーム化ユニット608は受信されたフレームから個々のフラグメントを抽出する。セグメント抽出ユニット606はそれぞれのフラグメントのセグメントを決定して、SIとSP情報に基づいてセグメントの順番を決定する。メッセージはメッセージ再構成ユニット604で順番にセグメントを置くことによって再構成される。受信されたメッセージにどんな欠けているセグメントもないならば、メッセージは受信器600でより高い層のアプリケーションに渡される。受信されたメッセージに欠けているセグメントがあるならば、受信器600は欠けているセグメントの再送信を要求する。
【００４７】
一実施例において、図7Aおよび7Bのように受信器方法はセグメントのフラグメントの終端が失われているかどうかをさらに決定する。図12はセグメントのフラグメントまたはフレームの欠けている終端を確認する方法700を示す。方法700はステップ702でインデックスを初期化する。最初の消去が受信器で検出されたならば、受信器はタイマを始動する。タイマは以下のように定義された期間予定される：
Timerｉ=α＊AIT                              （５）
ここにαは一定の値であり、AITはフレームの平均した相互到着時間である。Timerｉはメッセージまたは消去が受信されるまで計数を続ける。フレームまたは消去が受信される前にTimerｉが期限切れになると、受信器は最初の消去をセグメントの終端として考える。Timerｉの期限切れの前に2番目の消去が受信されるなら、受信器はTimerｉをリセットし、Timerｉ+1を開始する。Timerｉ+1は以下の時間期間により定義される:
Timerｉ+1=β＊（Timerｉ）＋γ＊(t2-t1)              （６）
ここに、βおよびγは一定値である。それぞれ同様の時間の割当てを有している付加的なタイマの任意の数が使用されるかもしれない。代わりの実施例はさまざまな期間とタイマを実施する方法を採用するかもしれない。有効に、各消去はタイマを開始する。そして、消去の数はセグメントの長さを決定するのに使用される。フレームまたは消去の受信なしでタイマが期限切れになると、受信器はセグメントの終端を最終に受信された消去として確認する。
【００４８】
図12の方法700を続行して、フレームが決定ダイヤモンドの704で受信されるならば、フレームからの情報はステップ718でメモリ記憶バッファに記憶される。受信器はステップ720でAITと呼ばれるセグメントの平均した相互到着時間を更新する。ステップ722では、受信器はTimeriをリセットする。決定ダイヤモンド724で、フレームがセグメントの終端であったならば、処理は誤りをチェックするためステップ726に続く。どんなセグメント誤りも見つけられないならば、ステップ730でセグメントはメッセージの一部として処理される。誤りが見つけられたならば、受信器はステップ728で再送信を要求する。フレームが決定ダイヤモンド724でセグメントの終端でなかったならば、インデックス値iはステップ716で増加され、処理は次のフレームを待つため決定ダイヤモンド704に続く。どんなフレームも決定ダイヤモンド704で受け取られないならば、受信器はステップ706で消去についてチェックする。消去は送信エラーによるような受信器が処理することのできない受信されたメッセージである。消去が受信されたならば、Timeriはリセットされ、2番目のTimer i+1が始動される。そして、処理はインデックスを増加するためステップ716に続く。どんな消去も決定ダイヤモンド706で見つけられないならば、受信器は決定ダイヤモンド712で誤りをチェックする。Timeriが決定ダイヤモンド712で期限切れにならないなら、処理は次のフレームを待つために決定ダイヤモンド704へ戻る。タイマが期限切れになったなら、セグメントの順序付けは累積している消去を反映する。
【００４９】
図13Aと13Bは受信器における例を提供する。図13Aでは、最初のフレームは時間t1で受信され、第２のフレームは時間t2で受信される。1番目と2番目のフレームは受信器により処理され、誤りを含まない。3番目のフレームが予期されるとき、時間t3で消去が受信される。消去の発生は最初のタイマの開始をトリガーする。タイマの満了のための期間はフレーム間の平均した間隔によって定義される。4番目のフレームはタイマの満了の前の時間t4で受信される。タイマは時間t4でリセットされる。
【００５０】
図13Bの例では、最初の2個のフレームが受信され、次の2個のフレームは受信されない。消去は時間t3で受信され、最初のタイマは応答で始動される。2番目の消去は最初のタイマの満了の前の時間t4で受信される。最初のタイマはリセットされ、2番目のタイマが時間t4で始動され、2番目のタイマの満了のためのタイマ期間が最初のタイマ値の関数である。再び、どんなタイマも期間が切れるとき、受信器はセグメントの終端として最後に受信された消去を確認することができる。消去の数の計算は受信器にセグメントあたりのフレームの数について計算させる。
【００５１】
一実施例によると、多重タイマを使用してセグメントの終端またはメッセージの終端(図12で示した)を確認する方法は、非同期輸送方法（Asynchronous Transport Method）ATMに適用でき、ここにATMプロトコルがメッセージの始端とメッセージの終端を定義する。詳細が式(5)と(6)で提供された上述のタイマは、メッセージの終端およびセグメントおよび/またはフラグメントのどんな介在している欠けも確認し、その結果、送信におけるメッセージの終端の損失を避けることができる。
【００５２】
代わりの実施例によると、多重タイマを使用してセグメントの終端またはメッセージの終端(図12で示した) を確認する方法は、輸送通信プロトコル（Transport Communication Protocol）TCPに適用でき、ここにTCPプロトコルがメッセージの終端をFINフィールドと定義する。詳細が式(5)と(6)で提供された上述のタイマは、メッセージの終端およびセグメントおよび/またはフラグメントのどんな介在している欠けも確認し、その結果、送信におけるメッセージの終端の損失を避けることができる。代わりの実施例は、送信の欠けている部分を決定するためにタイミングメカニズムの実施を適用するかもしれず、そこでは多重タイミングメカニズムが実施されるかもしれない。
【００５３】
上述されたように、区分されたメッセージ送信の方法が提供された。各メッセージは最初に区分され、次に、セグメントはフラグメント化される。セグメントパラメタは各セグメントに適用され、セグメント識別子は各フラグメントに適用される。フラグメントは送信のためのフレームへの準備のために低いレベルで提供される。例示的実施例は制御メッセージのような短い持続時間メッセージの送信に適用されるかもしれない。
【００５４】
かくして、様々な方法が無線システムにおいて区分されたメッセージを送信するために上述された。与えられたシステムのデザインとリソース要件に従って、各方法は応用を見出すであろう。様々な実施例はCDMA型スペクトラム拡散通信システムに関して説明されたが、概念は他のタイプの通信システムと同様に代わりのスペクトル拡散型システムに適用可能である。上に提供された方法とアルゴリズムはハードウェア、ソフトウェア、ファームウェア、またはその組み合わせで実施されてもよい。例えば、非時間ゲートパイロットへのMMSEアプローチを使用して、結合ウエイトを解く式は、計算を実行するのにソフトウェアまたはデジタル信号プロセッサDSPを使用して実行されるかもしれない。同様に、適応型のアルゴリズムはコンピュータの読み込み可能な媒体に記憶されたコンピュータの読み出し可能な指令の形でソフトウェアで実施されるかもしれない。DSPコアなどの中央処理ユニットは指令を実行して、応答として信号推定値を提供するように作動する。代わりの実施例は、実行可能である特定用途向け集積回路ASICなどハードウェアで実施されてもよい。
【００５５】
情報及び信号は様々な異なる技術及び技法のどれでも使用して表されることを当業者は理解するであろう。例えば、上の記述の至る所で引用されるデータ、指令、命令、情報、信号、ビット、シンボル、及びチップは電圧、電流、電磁波、磁場または粒子、光学場または粒子、またはそのあらゆる組合せによって表される。
【００５６】
ここで開示された実施例に関連して記述された様々な例示の論理的ブロック、モジュール、回路、及びアルゴリズム・ステップは電子的ハードウェア、コンピュータ・ソフトウェア、または双方の組合せとして実施できることを通常の当業者はさらに理解するであろう。このハードウェア及びソフトウェアの互換性を明瞭に示すために、様々な例示部品、ブロック、モジュール、回路、及びステップがそれらの機能性に関して一般に上で記述されてきた。そのような機能性がハードウェアまたはソフトウェアとして実施されるかどうかは全体のシステムに課せられた特定の応用及び設計の制約に依存する。熟練技術者は特定の各応用について種々の方法で記述された機能性を実施できるであろうが、そのような実施の決定は本発明の範囲から逸脱するものと解釈されるべきではない。
【００５７】
ここに開示された実施例に関連して記述された様々な例示の論理的ブロック、モジュール、及び回路は一般用途プロセッサ、ディジタル信号プロセッサ（ＤＳＰ）、特定用途向け集積回路（ＡＳＩＣ）、フィールド・プログラム可能ゲートアレイ（ＦＰＧＡ）または他のプログラム可能論理デバイス、個別ゲートまたはトランジスタ論理、個別ハードウェア部品、またはここに記述された機能を実行するために設計されたそのあらゆる組合せによって実施、或いは実行される。一般用途プロセッサはマイクロプロセッサでもよいが、これに代り、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと接続した一以上のマイクロプロセッサ、またはそのようなあらゆる他の構成として実施される。
【００５８】
ここに開示された実施例に関連して記述された方法またはアルゴリズムの操作は直接ハードウェアにおいて、プロセッサによって実行されるソフトウェア・モジュールにおいて、或いは二つの組合せにおいて組込まれる。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、交換可能ディスク、ＣＤ−ＲＯＭ、または当技術分野において既知の他の型式の記憶媒体に駐在する。典型的な記憶媒体はプロセッサが記憶媒体から情報を読取り、記憶媒体に情報を書込むことができるようにプロセッサに接続される。それに代るものでは、記憶媒体はプロセッサに一体化してもよい。プロセッサ及び記憶媒体はＡＳＩＣに駐在してもよい。ＡＳＩＣはユーザー端末に駐在してもよい。それに代るものでは、プロセッサ及び記憶媒体はユーザー端末中に個別部品として駐在してもよい。
【００５９】
開示された実施例の先の記述は当業者が本発明を行い、或いは使用することを可能にするために提供される。これらの実施例への様々な変更は当業者には直ちに明白であり、ここに定義された一般原理は本発明の精神または範囲から逸脱することなく他の実施例に適用できる。このように、本発明はここに示された実施例に限定されることを意図していないが、ここに開示された原理及び新規な特徴と両立する最も広い範囲を与えられるべきである。
【図面の簡単な説明】
【００６０】
【図１】無線通信システムである。
【図２】無線通信システムでプロトコルを実行する構成レイヤである。
【図３Ａ】無線通信システムで適用可能なメッセージ送信プロトコルである。
【図３Ｂ】図３Ａで示されたような送信プロトコルによるフレーム構成である。
【図４Ａ】無線通信システムで適用可能な区分を実行するメッセージ送信プロトコルである。
【図４Ｂ】図４Ａで示されたような送信プロトコルによるフレーム構成である。
【図５Ａ】図４Ａで示されたようなメッセージ送信プロトコルに関する例である。
【図５Ｂ】図５Ａに示されているようなメッセージ送信プロトコルで使用される区分インディケータビットを定義する例である。
【図５Ｃ】図５Ａで示されるようなメッセージ送信プロトコルで使用される区分インディケータ組み合わせを定義する例である。
【図５Ｄ】図５Ａで示されるようなメッセージ送信プロトコルで使用される区分インディケータビット値を定義する例である。
【図５Ｅ】図５Ａで示されるようなメッセージ送信プロトコルで使用される区分インディケータ組み合わせを定義する例である。
【図６】送信のためのメッセージ区分の方法に関するフローチャートである。
【図７Ａ】区分されたメッセージを受信する方法に関するフローチャートである。
【図７Ｂ】区分されたメッセージを受信する方法に関するフローチャートである。
【図８】送信のためのメッセージ区分の例である。
【図９Ａ】メッセージの再送信を有するメッセージ送信のタイムチャートである。
【図９Ｂ】少なくとも1つのセグメントの再送信を有するメッセージ区分と送信のタイムチャートである。
【図１０】メッセージ区分と送信プロトコルをサポートしている送信器のブロックダイアグラムである。
【図１１】メッセージ区分と送信プロトコルをサポートしている受信器のブロックダイアグラムである。
【図１２】無線通信システムで消去検出を示すフローチャートである。
【図１３Ａ】無線通信システムの送信フレームのタイミングダイヤグラムである。
【図１３Ｂ】無線通信システムの送信フレームのタイミングダイヤグラムである。
【符号の説明】
【００６１】
100…通信システム  104…基地局  106…遠隔端末
【図１】
2005500761.tif 000003
【図２】
2005500761.tif 000004
【図３Ａ】
2005500761.tif 000005
【図３Ｂ】
2005500761.tif 000006
【図４Ａ】
2005500761.tif 000007
【図４Ｂ】
2005500761.tif 000008
【図５Ａ】
2005500761.tif 000009
【図５Ｂ】
2005500761.tif 000010
【図５Ｃ】
2005500761.tif 000011
【図５Ｄ】
2005500761.tif 000012
【図５Ｅ】
2005500761.tif 000013
【図６】
2005500761.tif 000014
【図７Ａ】
2005500761.tif 000015
【図７Ｂ】
2005500761.tif 000016
【図８】
2005500761.tif 000017
【図９Ａ】
2005500761.tif 000018
【図９Ｂ】
2005500761.tif 000019
【図１０】
2005500761.tif 000020
【図１１】
2005500761.tif 000021
【図１２】
2005500761.tif 000022
【図１３Ａ】
2005500761.tif 000023
【図１３Ｂ】
2005500761.tif 000024
【国際公開パンフレット】
2005500761.tif 000025
2005500761.tif 000026
2005500761.tif 000027
2005500761.tif 000028
2005500761.tif 000029
2005500761.tif 000030
2005500761.tif 000031
2005500761.tif 000032
2005500761.tif 000033
2005500761.tif 000034
2005500761.tif 000035
2005500761.tif 000036
2005500761.tif 000037
2005500761.tif 000038
2005500761.tif 000039
2005500761.tif 000040
2005500761.tif 000041
2005500761.tif 000042
2005500761.tif 000043
2005500761.tif 000044
2005500761.tif 000045
2005500761.tif 000046
2005500761.tif 000047
2005500761.tif 000048
2005500761.tif 000049
2005500761.tif 000050
2005500761.tif 000051
2005500761.tif 000052
2005500761.tif 000053
2005500761.tif 000054
2005500761.tif 000055
2005500761.tif 000056
2005500761.tif 000057
2005500761.tif 000058
2005500761.tif 000059
2005500761.tif 000060
2005500761.tif 000061
2005500761.tif 000062
2005500761.tif 000063
2005500761.tif 000064
2005500761.tif 000065
2005500761.tif 000066
2005500761.tif 000067
2005500761.tif 000068
【国際公開パンフレット（コレクトバージョン）】
2005500761.tif 000069
【国際調査報告】
2005500761.tif 000070
2005500761.tif 000071